(57)【要約】【課題】装置本体にセットされている光ディスクを特定のユーザに専有させ、該光ディスクには該ユーザ以外記録させないようにした光ディスク装置を提供する。【解決手段】光ディスク装置１は、装置本体１を制御する制御手段４と、光ディスク１００に対しデータの記録や読取を行うPUヘッド２と、RFアンプ等の記録再生部３と、録音キー又は録画キーが設けられている操作部５と、情報を表示する表示部７と、記憶手段である記憶部６と、音声データをアナログの再生音声信号に変換するＤ／Ａコンバータ１１に、映像データをアナログの再生映像信号に変換する映像処理部１２と、再生映像信号に文字又は図形を重畳するＯＳＤ処理部１３と、ＴＶ放送信号を受信してＡＶデータを取得するＡ／Ｄ変換回路１０とを備える。【選択図】  図１
2007018654.tif 000002
【特許請求の範囲】
【請求項１】
装置本体にセットされている光ディスクにレーザ光を照射し、該光ディスクに対して、データの記録および記録されているデータの読取を行う記録／読取手段を備えた光ディスク装置において、
録画キー又は録音キーを有する操作手段と、
予め登録されたアカウント名を記憶する記憶手段と、
前記装置本体起動時に、前記記憶手段に記憶されているアカウント名を表示器に表示させて、ユーザにアカウント名を前記操作手段で選択させ、該選択されたアカウント名に基づいてログインする制御手段と、を備え、
前記制御手段は、前記装置本体に光ディスクがセットされている場合に、予め定められた入力操作が前記操作手段で行われると、該光ディスクを専有するユーザのアカウント名を該光ディスクに記録することを前記記録／読取手段に指示し、
また、前記制御手段は、前記操作手段で前記録画キー又は前記録音キーが押下されると、光ディスクに記録されているアカウント名と、現在ログインしているユーザのアカウント名と、が一致しているか否か判定し、両アカウント名が一致していると判定すれば、前記記録／読取手段が該光ディスクに対してデータの記録を行うことを許可し、
前記制御手段は、両アカウント名が一致していないと判定すれば、録画又は録音ができない旨を前記表示器に表示させ、
前記制御手段は、ユーザにアカウント名を前記操作手段で選択させる際、併せて認証を行う光ディスク装置。
【請求項２】
装置本体にセットされている光ディスクにレーザ光を照射し、該光ディスクに対して、データの記録および記録されているデータの読取を行う記録／読取手段を備えた光ディスク装置において、
録画キー又は録音キーを有する操作手段と、
予め登録されたアカウント名を記憶する記憶手段と、
前記装置本体起動時に、前記記憶手段に記憶されているアカウント名を表示器に表示させて、ユーザにアカウント名を前記操作手段で選択させ、該選択されたアカウント名に基づいてログインする制御手段と、を備え、
前記制御手段は、前記装置本体に光ディスクがセットされている場合に、予め定められた入力操作が前記操作手段で行われると、該光ディスクを専有するユーザのアカウント名を該光ディスクに記録することを前記記録／読取手段に指示し、
また、前記制御手段は、前記操作手段で前記録画キー又は前記録音キーが押下されると、光ディスクに記録されているアカウント名と、現在ログインしているユーザのアカウント名と、が一致しているか否か判定し、両アカウント名が一致していると判定すれば、前記記録／読取手段が該光ディスクに対してデータの記録を行うことを許可する光ディスク装置。
【請求項３】
前記制御手段は、両アカウント名が一致していないと判定すれば、録画又は録音ができない旨を前記表示器に表示させる請求項２に記載の光ディスク装置。
【請求項４】
前記制御手段は、ユーザにアカウント名を前記操作手段で選択させる際、併せて認証を行う請求項２または３に記載の光ディスク装置。
【発明の詳細な説明】
【技術分野】
【０００１】
この発明は、ＤＶＤやＣＤ等の光ディスクに記録されているデータの読取やデータの記録を行う光ディスク装置に関するものである。
【背景技術】
【０００２】
従来、ＣＤ、ＤＶＤ等の光ディスクに対し、映像や音声等のデータの記録、および記録されているデータの読取（再生）を行う光ディスク装置が実用化され、一般に普及している。光ディスクには、記録用のＣＤ−Ｒ、ＤＶＤ−Ｒ、ＤＶＤ＋Ｒ、ＤＶＤ−ＲＡＭ、ＣＤ−ＲＷおよびＤＶＤ−ＲＷ等（以下、記録用光ディスクという。）や、再生専用のＣＤ−ＲＯＭやＤＶＤ−ＲＯＭ等（以下、再生専用光ディスクという。）といった様々な種類がある。さらに、記録用光ディスクには、ＣＤ−Ｒ、ＤＶＤ−Ｒ、及びＤＶＤ＋Ｒなどの追記型光ディスクと、ＤＶＤ−ＲＡＭ、ＣＤ−ＲＷ、及びＤＶＤ−ＲＷなどの書換型光ディスクとがある。
【０００３】
上記光ディスクは、その互換性の良さから、IT時代の中心的存在となっている。
【０００４】
例えば、ある光ディスク装置において、記録用光ディスクに対し映像や音声等のデータの記録を行った場合、別の光ディスク装置においても、記録された該記録用光ディスクに対し映像や音声等のデータの記録、および記録されているデータの読取（再生）を行うことができる。
【０００５】
特許文献１に記載されたような光ディスク装置が提案されている。
【０００６】
この光ディスク装置は、特定の光ディスクを共有するユーザ毎に、アカウント名を記憶する記憶手段と、該記憶手段に記憶されているアカウント名からユーザに自己のアカウント名を選択させ、該選択されたアカウント名に基づいてログインする制御手段とを備える。
【０００７】
上記制御手段は、ユーザ毎に上記光ディスクの使用できる容量を設定し、あるユーザが容量を超えて録画（使用）していれば録画を停止する。
【特許文献１】特開２００３−１６２８８４公報
【発明の開示】
【発明が解決しようとする課題】
【０００８】
しかしながら、上記互換性の良さから生じる欠点もある。例えば、ユーザ（自己）が記録用光ディスクにお気に入りの映像や音声等のデータを記録していた場合に、他のユーザ（他人）が誤って該記録用光ディスクにデータを記録してしまうといった事態が生じ得る。この問題は、書換型光ディスクであれば一層顕著となり、お気に入りとして記録されていたデータが上書きされてしまうという事態となる。
【０００９】
このように、従来の光ディスク装置は、他人が誤って自己の光ディスクにデータを記録してしまう、又は自己が他人の光ディスクに誤ってデータを記録してしまうという問題があった。
【００１０】
また、特許文献１においては、1枚の光ディスクをユーザ間で共有することを前提としている。従って、自己の光ディスクに他人のデータが記録されてしまう点同様であり、上記従来の光ディスク装置と同様の問題が生じる。
【００１１】
本発明はこのような従来の課題を解決しようとするものであり、装置本体にセットされている光ディスクを特定のユーザに専有させ、該光ディスクには該ユーザ以外記録させないようにした光ディスク装置を提供することを目的とする。
【課題を解決するための手段】
【００１２】
本発明の光ディスク装置は、前記課題を解決するために以下の構成を備えている。
（１）装置本体にセットされている光ディスクにレーザ光を照射し、該光ディスクに対して、データの記録および記録されているデータの読取を行う記録／読取手段を備えた光ディスク装置において、
録画キー又は録音キーを有する操作手段と、
予め登録されたアカウント名を記憶する記憶手段と、
前記装置本体起動時に、前記記憶手段に記憶されているアカウント名を表示器に表示させて、ユーザにアカウント名を前記操作手段で選択させ、該選択されたアカウント名に基づいてログインする制御手段と、を備え、
前記制御手段は、前記装置本体に光ディスクがセットされている場合に、予め定められた入力操作が前記操作手段で行われると、該光ディスクを専有するユーザのアカウント名を該光ディスクに記録することを前記記録／読取手段に指示し、
また、前記制御手段は、前記操作手段で前記録画キー又は前記録音キーが押下されると、光ディスクに記録されているアカウント名と、現在ログインしているユーザのアカウント名と、が一致しているか否か判定し、両アカウント名が一致していると判定すれば、前記記録／読取手段が該光ディスクに対してデータの記録を行うことを許可する。
【００１３】
この構成において、アカウント名は、ユーザが自由に登録することができ、例えばユーザの名前、ユーザのニックネームである。表示器は、例えばテレビ受像機、液晶モニターである。表示器がテレビ受像機であれば、上記記憶手段に記憶されているアカウント名が画面上にＯＳＤ表示される。
【００１４】
そして、上記制御手段は、アカウント名を表示器に表示させて、ユーザにアカウント名を操作手段で選択させ、該選択されたアカウント名に基づいてログインする。
【００１５】
これにより、光ディスク装置を複数のユーザで共有していても、自己（ユーザ）が登録したアカウント名でログインすることができる。
【００１６】
さらに、記憶手段は、アカウント名と該アカウント名でログインした時に設定された設定内容とを対応付けて記憶すると良い。設定内容は、例えば記録する際の画質である。
【００１７】
これにより、ユーザ毎に設定内容を記録させておくことができるので、次回にログインした時、前回自己（ユーザ）が設定した設定内容で光ディスク装置を使用することができ、ログイン毎に設定をやり直すという煩雑な操作から開放される。
【００１８】
また、上記制御手段の指示により記録／読取手段が、光ディスクを専有するユーザのアカウント名を該光ディスクに記録すると、該光ディスクは、該アカウント名を持つユーザの専有の光ディスクとなる。予め定められた入力操作とは、例えば操作手段に専用のキーを設けておき、該キーが押下されること、又は操作手段のキーが予め定められた順番で押下されることである。また、光ディスクを専有するユーザのアカウント名は、該光ディスクのリードイン領域に記録することが望ましい。
【００１９】
そして、上記制御手段から許可された場合のみ、記録／読取手段は該光ディスクに記録できるので、該光ディスクには該ユーザ以外記録できないこととなる。
【００２０】
以上より、装置本体にセットされている光ディスクを特定のユーザに専有させ、該光ディスクには該ユーザ以外記録させないようにできる。
【００２１】
なお、前提として、光ディスクにデータを記録する場合、該光ディスクがファイナライズされていれば、データを記録することができない。ファイナライズとは、他の光ディスク装置と互換性を持つようにするために記録情報を整えるためのプロセスである。そのため、上記記録／読取手段が該光ディスクに対してデータやアカウント名の記録を行う光ディスクは、ファイナライズされていない光ディスクを指す。
（２）前記制御手段は、両アカウント名が一致していないと判定すれば、録画又は録音ができない旨を前記表示器に表示させる。
【００２２】
この構成において、録画又は録音ができない旨は、例えば「記録できません。アカウント名が一致しません。」、「記録できません。このディスクは、○○さんのディスクです。」等のメッセージである。この○○は、光ディスクから読取ったアカウント名である。
【００２３】
録画又は録音ができない旨をユーザに報知することで、該ユーザは、光ディスクに記録できないことを認識できる。さらに、上記アカウント名をユーザに報知することで、該ユーザは、該光ディスクが誰のディスクであるかも認識できる。
（３）前記制御手段は、ユーザにアカウント名を前記操作手段で選択させる際、併せて認証を行う。
【００２４】
この構成において、認証は、なりすましを防止することを想定しており、例えばパスワードの確認である。
【００２５】
認証方式はセキュリティの観点から決めると良い。光ディスク装置を家庭用向けに販売するのであれば、セキュリティ要求水準も低いと考えられるので、簡便、且つ低コストで導入することが可能な認証であるパスワードの確認が好ましい。
【発明の効果】
【００２６】
この発明によれば、装置本体にセットされている光ディスクを特定のユーザに専有させ、該光ディスクには該ユーザ以外記録させないようにできる。
【発明を実施するための最良の形態】
【００２７】
以下、本発明の実施形態である光ディスク装置について説明する。
【００２８】
図１は、本発明の実施形態である光ディスク装置の主要な構成を示すブロック図である。
【００２９】
光ディスク装置１は、装置本体１を制御する制御手段４と、光ディスク１００に対しデータの記録や読取を行うピックアップヘッド２（以下、PUヘッド２と称する。）と、RFアンプなどの記録再生部３と、録音キーまたは録画キーが設けられている操作部５と、情報を表示する表示部７と、記憶手段である記憶部６と、音声データをアナログの再生音声信号に変換するＤ／Ａコンバータ１１に、映像データをアナログの再生映像信号に変換する映像処理部１２と、再生映像信号に文字又は図形を重畳するＯＳＤ処理部１３と、ＴＶ放送信号を受信してＡＶ（オーディオビジュアル）データを取得するＡ／Ｄ変換回路１０と、を備えている。
【００３０】
PUヘッド２は、図示しないレーザダイオード（ＬＤ）、コリメータレンズ、ビームスプリッタ、対物レンズ、フォトディテクタ、スレッドモータ、及び２軸のアクチュエータを備えている。
【００３１】
ＰＵヘッド２は、光ディスク１００の半径方向に延びる軸に移動自在に取り付けられている。スレッドモータが、ＰＵヘッド２を光ディスク１００の半径方向に移動する。
【００３２】
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
【００３３】
対物レンズは、光ディスク１００に対するレーザ光の照射位置を調節する。また、２軸のアクチュエータは、対物レンズを光ディスク１００に接離する方向、および光ディスク１００の半径方向に移動させる。
【００３４】
ＰＵヘッド２は、再生時において、光ディスク１００に対して読取パワーのレーザ光を照射し、光ディスク１００からの反射光をフォトディテクタで検出する。これにより、光ディスク１００に記録されている情報を光学的に読み出す。
【００３５】
記録再生部３は、再生時において、ＰＵヘッド２における複数の受光素子の出力に基づいてＲＦ信号を生成し、該ＲＦ信号を増幅する。そして、記録再生部３は、該ＲＦ信号を処理して映像と音声のデータを取り出し、デコードする。ここで、取り出される映像と音声のデータは、例えばＭＰＥＧでエンコードされている。そして、記録再生部３は、音声データをＤ／Ａコンバータ１１に、映像データを映像処理部１２に、両データの同期を取りながら、それぞれ出力する。
【００３６】
Ｄ／Ａコンバータ１１は、伸長された音声データをアナログの再生音声信号に変換し、その再生音声信号を外部のテレビジョン１０１に出力する。
【００３７】
映像処理部１２は、伸長された映像データをアナログの再生映像信号に変換し、出力する。該再生映像信号は、ＯＳＤ処理部１３を介して外部のテレビジョン１０１に入力される。
【００３８】
ＯＳＤ処理部１３は、制御部１１から伝送される制御信号に基づいて、上記再生映像信号に文字又は図形を重畳する。文字又は図形には、後述の図３ｓ１において、テレビジョン１０１に表示するアカウント名の他、該アカウント名を表示する際の背景図形である六芒星、背景文字である「アカウント名の選択」や、該アカウント名とともに表示する「アカウント名の登録」の選択肢が含まれる（後述の図４参照）。
【００３９】
なお、記憶部６が記憶するアカウント名以外、つまり六芒星、「アカウント名の選択」、及び「アカウント名の登録」の選択肢等は、ＯＳＤ処理部１３に記憶させる（後述の図４参照）。
【００４０】
一方、記録時において、Ａ／Ｄ変換回路１０は、ＴＶ放送等のアンテナからＴＶ放送信号を受信して、ディジタル化し、出力する。
【００４１】
そして、記録再生部３は、制御部４から許可された場合（後述の図７ｓ２０６参照）のみ、ディジタル化されたＡＶデータを（例えば、ＭＰＥＧで）エンコードし、ディジタル信号をＰＵヘッド２に出力する。
【００４２】
そして、ＰＵヘッド２は、記録再生部３からディジタル信号が入力されると、このディジタル信号に応じて記録パワーのレーザ光を制御し、光ディスク１００の記録面に照射する。
【００４３】
操作部５は、ユーザが光ディスク装置１に対して各種の命令（コマンド）を入力するためのものであり、複数のキーが設けられている。光ディスク装置１に対してユーザが入力したコマンドは制御部４に伝送される。
【００４４】
上記複数のキーの中には、光ディスク１００に音声を記録する録音キー（不図示）と、光ディスク１００に映像および音声を記録する録画キー（不図示）と、光ディスク１００を専有するユーザのアカウント名を該光ディスク１００に記録するＭＹＤＩＳＣ登録キー（不図示）とがある。
【００４５】
記憶部６は、例えばＥＥＰＲＯＭで構成されており、予め登録されたアカウント名を記憶する。さらに、記憶部６は、アカウント名と該アカウント名でログインした時に設定された設定内容とを対応付けて記憶する。設定内容は、例えば記録する際の画質である。
【００４６】
これにより、ユーザ毎に設定内容を記録させておくことができるので、次回にログインした時、前回自己（ユーザ）が設定した設定内容で光ディスク装置を使用することができ、ログイン毎に設定をやり直すという煩雑な操作から開放される。
【００４７】
表示部７は、時刻、光ディスク装置１の設定状態などを表示する。
【００４８】
制御部４は、例えばマイクロコンピュータで構成されており、光ディスク装置１にユーザから入力された命令に応じて光ディスク装置１の各部を制御する。
【００４９】
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
【００５０】
ここで、表示部７およびテレビジョン１０１が、本発明の「表示器」に相当する。また、ＰＵヘッド２、記録再生部３、及びＡ／Ｄ変換回路１０が、本発明の「記録／読取手段」に相当する。
【００５１】
次に、光ディスクの記録領域について説明する。光ディスクには、記録用のＣＤ−Ｒ、ＤＶＤ−Ｒ、ＤＶＤ＋Ｒ、ＤＶＤ−ＲＡＭ、ＣＤ−ＲＷおよびＤＶＤ−ＲＷ等（以下、記録用光ディスクという。）や、再生専用のＣＤ−ＲＯＭやＤＶＤ−ＲＯＭ等（以下、再生専用光ディスクという。）といった様々な種類がある。さらに、記録用光ディスクには、ＣＤ−Ｒ、ＤＶＤ−Ｒ、及びＤＶＤ＋Ｒなど（以下、追記型光ディスクという。）や、ＤＶＤ−ＲＡＭ、ＣＤ−ＲＷ、及びＤＶＤ−ＲＷなど（以下、書換型光ディスクという。）がある。
【００５２】
ここで、光ディスク１００は、記録用光ディスクである。
【００５３】
光ディスクの記録領域は、その内周から外周にかけて様々な領域に分けられている。
【００５４】
図２は、シングルセッション方式で記録された記録用光ディスクの記録領域を示す図である。記録用光ディスクの記録領域は、その内周から外周にかけてＰＣＡ、ＲＭＡ、リードイン領域、データ領域、リードアウト領域に分けられている。
【００５５】
ＰＣＡは、レーザパワーの校正が行える領域である。
【００５６】
ＲＭＡは、光ディスク装置１にとって必要な記録管理情報が記録されている領域である。
【００５７】
リードイン領域は、光ディスク上のデータ領域に記録されているデータのＴＯＣデータが記録されている領域である。このＴＯＣデータには、保存されたデータがファイナライズされているかどうかの情報、データが保存された日付、保存されたデータのタイトル情報、保存されたデータの光ディスク上のアドレス情報などが含まれている。
【００５８】
データ領域は、保存されたデータが記録されている領域である。
【００５９】
リードアウト領域は、保存されたデータがファイナライズされた場合に作成される領域である。このファイナライズとは、他の光ディスク装置と互換性を持つようにするために記録情報を整えるためのプロセスである。ファイナライズを行うことにより、他の光ディスク装置においても記録用光ディスクの再生が可能となるが、該光ディスクにデータを記録することができなくなる。
【００６０】
なお、マルチセッション方式で記録された記録用光ディスクの記録領域は、図２の記憶領域から構成されている他、図２のリードアウト領域の後に、リードイン領域、データ領域、及びリードアウト領域の順に続く場合もある。又、図２のリードアウト領域の後に、リードイン領域、データ領域、及びリードアウト領域、さらに、リードイン領域、データ領域、及びリードアウト領域の順に続く場合もある。
【００６１】
図３は、本発明の実施形態である光ディスク装置の制御部が電源オン時に行う動作を示すフローチャートである。図４は、装置本体１起動時に、アカウント名の一覧がテレビジョン１０１の画面上にＯＳＤ表示された様子を示す概念図である。図３の動作は、ユーザが図４の画面を見ながら自己のアカウント名を選択して、該アカウント名でログインする場面を想定している。
【００６２】
装置本体１の電源がオンされると、制御部４は、記憶部６に記憶されているアカウント名をＯＳＤ処理部１３に伝送するとともに、該アカウント名をテレビジョン１０１でＯＳＤ表示するための制御信号をＯＳＤ処理部１３に伝送する（ｓ１）。すると、装置本体１起動時に、記憶部６に記憶されているアカウント名の一覧がテレビジョン１０１の画面上にＯＳＤ表示される（図４参照）。
【００６３】
なお、アカウント名は、装置本体１が起動している間に、例えば後述のｓ６において、ユーザによって登録される。登録されたアカウント名は、記憶部６に記憶させておく。
【００６４】
制御部４は、予め登録されているアカウント名が選択されたか否か判定する（ｓ２）。予め登録されているアカウント名が選択されていないと判定すると、つまり、ユーザが「アカウント名の登録」を選択すると、ユーザがアカウント名を登録した後、制御部４は、登録されたアカウント名を記憶部６に記録し、ｓ１に戻り処理を継続する。
【００６５】
一方、ユーザが予め登録されているアカウント名（はなこ、ゆみ、きょうこの内のいずれか一つ）を操作部５で選択すると、制御部４は、パスワード確認画面をテレビジョン１０１でＯＳＤ表示するための制御信号をＯＳＤ処理部１３に伝送する（ｓ３）。
【００６６】
制御部４は、パスワードが一致しているか否か判定する（ｓ４）。ｓ３及びｓ４では、悪意の第三者が他人のアカウント名を使ってログインすること、つまり、なりすましを防止している。ここで、認証方式はセキュリティの観点から決めると良いが、光ディスク装置１が家庭用向けに販売するものであれば、セキュリティ要求水準も低いと考えられるので、簡便、且つ低コストで導入することが可能な認証であるパスワードの確認を採用することが好ましい。
【００６７】
パスワードが一致していないと判定すると、制御部４は、ｓ１に戻り処理を継続する。
【００６８】
なお、パスワードが一定回数以上一致していないことを確認すると、パスワードが総当りで見破られることを防止するため、制御部４は、電源をオフしても良い。一定回数は、例えば３回である。
【００６９】
パスワードが一致していると判定すると、制御部４は、選択されたアカウント名に基づいてログインし（ｓ５）、本処理を終了する。
【００７０】
これにより、光ディスク装置１を複数のユーザで共有していても、自己（ユーザ）が登録したアカウント名でログインすることができる。
【００７１】
なお、この実施形態では、アカウント名を光ディスク１００のリードイン領域に記録させているが、データ領域に記録させても良い。データ領域に記録させる場合、アカウント名の記録場所を明確にさせるため、データ領域の先頭に記録させることが望ましい。
【００７２】
図５は、本発明の実施形態である光ディスク装置の制御部がＭＹＤＩＳＣ登録キー押下時に行う動作を示すフローチャートである。図６は、ＭＹＤＩＳＣ登録キー押下時に、アカウント名の一覧がテレビジョン１０１の画面上にＯＳＤ表示された様子を示す概念図である。図５の動作は、現在ログインしているユーザが操作部５のＭＹＤＩＳＣ登録キーを押下して、装置本体１にセットされている光ディスク１００を専有するユーザを決める時の場面を想定している。
【００７３】
装置本体１に光ディスク１００がセットされている場合にＭＹＤＩＳＣ登録キーが押下されると、制御部４は、ＭＹＤＩＳＣ登録ルーチンを実行する。
【００７４】
ＭＹＤＩＳＣ登録ルーチンを実行すると、制御部４は、光ディスク１００をＭＹＤＩＳＣとして誰に専有させるかの選択画面をテレビジョン１０１でＯＳＤ表示するための制御信号をＯＳＤ処理部１３に伝送し（ｓ１０１）、同選択画面をテレビジョン１０１にＯＳＤ表示させる（図６参照）。光ディスク１００をＭＹＤＩＳＣとして誰に専有させるかの選択画面は、例えば、「現在セットされているディスクをどのユーザのＭＹＤＩＳＣとしますか？」と表示する。
【００７５】
制御部４は、ユーザが操作部５において専有させたいユーザを選択したか否か判定する（ｓ１０２）。操作部５において専有させたいユーザが選択されなかった場合、例えば、ユーザがキャンセルキーを押下した場合、制御部４は、本処理を終了する。
【００７６】
一方、操作部５において専有させたいユーザが選択されると、制御部４は、ＰＵヘッド２をリードイン領域にレーザ光が照射される位置へ移動させ、リードイン領域中のＴＯＣデータの読取りを開始する（ｓ１０３）。
【００７７】
なお、マルチセッション方式で記録されている場合にはリードイン領域が複数あるが、後述のｓ１０４及びｓ１０５の判定のため、全てのリードイン領域を読取る。
【００７８】
制御部４は、光ディスク１００がファイナライズ処理を施されているか否かを判定する（ｓ１０４）。この判定は、リードイン領域中にリードアウト領域のアドレスデータが存するか否かを調べることにより行われる。
【００７９】
なお、マルチセッション方式で記録されている場合、ｓ１０４の判定は、最外のリードイン領域中にリードアウト領域のアドレスデータが存するか否かを調べることにより行う。
【００８０】
ｓ１０４において、光ディスク１００がファイナライズ処理を施されていないと判定すれば、制御部４は、ｓ１０３において読取ったリードイン領域中のＴＯＣデータに、アカウント名が記述されているか否か判定する（ｓ１０５）。
【００８１】
なお、マルチセッション方式で記録されている場合、ｓ１０５の判定は、全リードイン領域中のＴＯＣデータのどこかに、アカウント名が記述されていれば判定肯定とする。
【００８２】
アカウント名が記述されていると判定すれば、制御部４は、本処理を終了する。このように判定されたということは、現在セットされている光ディスク１００が他人のディスクであることを意味する。
【００８３】
アカウント名が記述されていないと判定すれば、制御部４は、ｓ１０２で選択されたアカウント名を光ディスク１００のリードイン領域中に記録することをＰＵヘッド２に指示し（ｓ１０６）、本処理を終了する。すると、ＰＵヘッド２は、ｓ１０２で選択されたアカウント名を光ディスク１００のリードイン領域中に記録する。
【００８４】
なお、マルチセッション方式で記録されている場合、最外のリードイン領域中に記録する。
【００８５】
以上により、光ディスク１００は、ｓ１０２で選択されたアカウント名を持つユーザの専有の光ディスクとなる。
【００８６】
ｓ１０４において、光ディスク１００がファイナライズ処理を施されていると判定すれば、制御部４は、アカウント名を光ディスク１００に記録できない旨をテレビジョン１０１でＯＳＤ表示するための制御信号をＯＳＤ処理部１３に伝送し（ｓ１０７）、本処理を終了する。すると、該旨がテレビジョン１０１の画面上に表示される。ファイナライズされている光ディスクにはデータを記録することができないためである。
【００８７】
図７は、本発明の実施形態である光ディスク装置の制御部が録音キー又は録画キー押下時に行う動作を示すフローチャートである。この動作は、装置本体１に光ディスク１００がセットされている場合に、ユーザが操作部５の録画キー又は録音キーを押下して、光ディスク１００に録画又は録音する時の場面を想定している。
【００８８】
なお、ユーザによってタイマー録画予約され、録画予約の時間になった時も図７の動作を行う。この場合、録画予約の時間になった時に、タイマー録画予約を行ったアカウント名でログインする。
【００８９】
装置本体１に光ディスク１００がセットされている場合に操作部５の録画キー又は録音キーが押下されると、制御部４は、ＰＵヘッド２をリードイン領域にレーザ光が照射される位置へ移動させ、リードイン領域中のＴＯＣデータの読取りを開始する（ｓ２０１）。この処理は、図５のｓ１０３と同様である。
【００９０】
制御部４は、光ディスク１００がファイナライズ処理を施されているか否かを判定する（ｓ２０２）。この判定方法は、図５のｓ１０４と同様である。
【００９１】
光ディスク１００がファイナライズ処理を施されていると判定すれば、制御部４は、アカウント名を光ディスク１００に記録できない旨をテレビジョン１０１でＯＳＤ表示するための制御信号をＯＳＤ処理部１３に伝送し（ｓ２０７）、本処理を終了する。すると、該旨がテレビジョン１０１の画面上に表示される。ファイナライズされている光ディスクにはデータを記録することができないためである。
【００９２】
一方、光ディスク１００がファイナライズ処理を施されていないと判定すれば、制御部４は、ｓ２０１において読取ったリードイン領域中のＴＯＣデータに、アカウント名が記述されているか否か判定する（ｓ２０３）。この判定方法は、図５のｓ１０５と同様である。
【００９３】
アカウント名が記述されていると判定すると、制御部４は、ｓ２０１において読取った光ディスク１００に記録されているアカウント名と、現在ログインしているユーザのアカウント名と、が一致しているか否か判定する（ｓ２０５）。
【００９４】
両アカウント名が一致していると判定すれば、制御部４は、ＰＵヘッド２及び記録再生部３が該光ディスク１００に対してデータの記録を行うことを許可し（ｓ２０６）、本処理を終了する。すると、記録再生部３は、制御部４から許可された場合のみディジタル信号をＰＵヘッド２に出力するので、ＰＵヘッド２は該光ディスク１００に対してデータの記録を行うことができる。
【００９５】
以上より、装置本体１にセットされている光ディスク１００を特定のユーザに専有させ、該光ディスク１００には該ユーザ以外記録させないようにできる。
【００９６】
両アカウント名が一致していないと判定すれば、制御部４は、録画又は録音できない旨をテレビジョン１０１でＯＳＤ表示するための制御信号をＯＳＤ処理部１３に伝送し（ｓ２０８）、本処理を終了する。すると、該旨がテレビジョン１０１の画面上に表示される。録画又は録音ができない旨は、例えば「記録できません。アカウント名が一致しません。」、「記録できません。このディスクは、ゆみこさんのディスクです。」等のメッセージである。この「ゆみこ」は、ｓ２０１において光ディスク１００から読取ったアカウント名である。
【００９７】
録画又は録音ができない旨をユーザに報知することで、該ユーザは、光ディスク１００に記録できないことを認識できる。さらに、上記アカウント名をユーザに報知することで、該ユーザは、該光ディスク１００が誰のディスクであるかも認識できる。
【００９８】
ｓ２０３において、アカウント名が記述されていないと判定すると、制御部４は、ＭＹＤＩＳＣ登録ルーチンを実行する（ｓ２０４）。ＭＹＤＩＳＣ登録ルーチンを実行すると、制御部４は、図５のｓ１０３、ｓ１０４、及びｓ１０５を除く動作を終えた後、ｓ２０６に進み処理を継続する。ここで、図５のｓ１０３、ｓ１０４、及びｓ１０５を除いているのは、これらと同様の処理を図７のｓ２０１、ｓ２０２、及びｓ２０３において既に行ったためである。
【００９９】
なお、この実施形態では、表示器としてテレビジョン１０１に録画又は録音ができない旨やアカウント名の一覧を表示させたが、表示部７において表示させても良い。
【図面の簡単な説明】
【０１００】
【図１】本発明の実施形態である光ディスク装置の主要な構成を示すブロック図
【図２】記録用光ディスクの記録領域を示す図
【図３】本発明の実施形態である光ディスク装置の制御部が電源オン時に行う動作を示すフローチャート
【図４】装置本体１起動時に、アカウント名の一覧がテレビジョン１０１の画面上にＯＳＤ表示された様子を示す概念図
【図５】本発明の実施形態である光ディスク装置の制御部がＭＹＤＩＳＣ登録キー押下時に行う動作を示すフローチャート
【図６】ＭＹＤＩＳＣ登録キー押下時に、アカウント名の一覧がテレビジョン１０１の画面上にＯＳＤ表示された様子を示す概念図
【図７】本発明の実施形態である光ディスク装置の制御部が録音キー又は録画キー押下時に行う動作を示すフローチャート
【符号の説明】
【０１０１】
１−光ディスク装置
２−PUヘッド
３−記録再生部
４−制御手段
５−操作部
６−記憶部
７−表示部
１０−Ａ／Ｄ変換回路
１１−Ｄ／Ａコンバータ
１２−映像処理部
１３−ＯＳＤ処理部
１００−光ディスク
１０１−テレビジョン
【図１】
2007018654.tif 000003
【図２】
2007018654.tif 000004
【図３】
2007018654.tif 000005
【図４】
2007018654.tif 000006
【図５】
2007018654.tif 000007
【図６】
2007018654.tif 000008
【図７】
2007018654.tif 000009